(57)【要約】【課題】シートのカールや撓み等がいかなる場合であってもシート１枚ごとに整然と整列可能となる上に、圧縮部材やフィンガ等の押え部材の制御部や駆動源等を不要にして組立性や生産性の向上が期待できるシート後処理装置を提供すること。【解決手段】装置内部に斜設されたステープルトレイ４１の下方に、そのステープルトレイ４１に搬入された複数枚のシートの下端を当接させて揃える基準フェンス６１を設け、その基準フェンス６１に複数枚のシートからなるシート束の下部を一方側に弾発付勢させて、そのシート束の後端を厚み方向に押圧させる押圧部７０を設け、その押圧部７０で押圧されて整列されたシート束の下部にステープラ３５等のシート綴じ用の処理を実行させる綴じ処理部を設ける。【選択図】図５
2010100428.tif 000002
【特許請求の範囲】
【請求項１】
装置内部に傾設され外部から搬入されたシートを傾斜させるトレイ部と、
該トレイ部の下方に配設され、前記トレイ部に漸次搬入された複数枚の前記シートからなるシート束の下端を当接させて前記トレイ部に前記シート束を整列させる突当部と、
該突当部に設けられ、前記シート束の下部を厚み方向に弾発付勢させる押圧部と、
前記トレイ部の下方に設けられ、前記突当部で整列された前記シート束の下部にシート綴じ用の処理を実行させる綴じ処理部と、
を備えたことを特徴とするシート後処理装置。
【請求項２】
前記綴じ処理部を前記シートの幅方向に移動させる移動部を備えると共に、前記突当部が、前記綴じ処理部と係合して前記シートの幅方向に移動可能に構成されていることを特徴とする請求項１に記載のシート後処理装置。
【請求項３】
前記突当部は、前記シート束の下端が当接される底壁と縦壁とで側面視略Ｕ字状に形成されると共に、一方の縦壁が前記トレイ部の面と略連続するように配設されたシート保持部を備え、
前記押圧部は、前記一方の縦壁に向かって押圧可能に、且つ、前記シートの出し入れにより従動回転可能に設けられたコロを備えたことを特徴とする請求項１または２に記載のシート後処理装置。
【請求項４】
前記コロは、前記突当部に前記シートが所定の枚数以上に収納された場合に前記シートに当接されるように、前記一方の縦壁から離間して設けられていることを特徴とする請求項３に記載のシート後処理装置。
【請求項５】
前記押圧部は、前記コロを常に一定の押圧力となるように構成されていることを特徴とする請求項３または４に記載のシート後処理装置。
【請求項６】
前記押圧部は、定荷重バネを用いていることを特徴とする請求項５に記載のシート後処理装置。
【請求項７】
前記コロは、低摩擦素材で構成されていることを特徴とする請求項３乃至６の何れか１項に記載のシート後処理装置。
【請求項８】
請求項１乃至７の何れか１項に記載のシート後処理装置と、前記シートに所望の画像を形成させる作像部とを備えたことを特徴とする画像形成装置。
【発明の詳細な説明】
【技術分野】
【０００１】
本発明は、複数枚のシートからなるシート束を綴じるための処理であるステープルや穿孔を行うシート後処理装置及びそのシート後処理装置を備えた画像形成装置に関する。
【背景技術】
【０００２】
従来から、画像形成装置から排出された画像形成済みの複数枚のシート（シート束）に、ステープル処理（針止め処理）などのシート綴じ用の処理を施すシート後処理装置がある。
このシート後処理装置の概略は、装置内に斜設させたトレイにシートをいったん排出し、その排出したシートの下端を突当部に突き当てて縦揃えを行い、トレイの左右方向に設けたジョガーフェンスにより横揃えを行い、シートの下端の所定位置にステープル装置等を移動して、１箇所あるいは２箇所程度のシート綴じ用の処理を実行し、その処理の実行後に外部へシート束を排出するように構成されている。
このようなシート後処理装置は、カールしているシートが含まれていても、シート綴じの精度を維持するために、複数のシートを装置内のトレイに整然と整列することが極めて重要であり、従来のシート後処理装置は、以下のような手段を講じていた。
例えば、上下に傾斜して設けられたステープルトレイの近傍に設けた排出ローラの下方で後端フェンス近傍に、ステープルトレイの傾斜面と平行に上下動可能、且つ、シート圧縮方向に往復動可能な圧縮部材を設けたもの（特許文献１参照）、旋回可能なフィンガをシートの幅方向に亘って複数設け、そのフィンガでシート束を押し付けることで、シートの撓みやカールを抑止したものが挙げられる（特許文献２参照）。
【特許文献１】特願平９―２３２６２０号公報
【特許文献２】特願２００５―１４６９７８公報
【発明の開示】
【発明が解決しようとする課題】
【０００３】
しかしながら、上述した従来の装置は、圧縮部材やフィンガ等の押え部材をシート１枚ごとに動作する必要があり、また、シート綴じの処理を行った後、装置の外面に設けた排紙トレイへシート束を排出する際に、押え部材がシート束搬送の抵抗とならないように、押え部材を動作させなければならなかったことから、押え部材の制御部や駆動源等を別に備える必要があり、組立性や生産性に改善の余地があった。
そこで本発明は、このような状況に鑑みてなされたものであり、上記問題点を解決できるシート後処理装置、画像形成装置を提供することを目的とする。
【課題を解決するための手段】
【０００４】
上記技術課題を達成するために、本発明にかかるシート後処理装置及び画像形成装置は、下記の技術的手段を講じた。
すなわち、請求項１にかかるシート後処理装置は、装置内部に傾設され外部から搬入されたシートを傾斜させるトレイ部と、該トレイ部の下方に配設され、前記トレイ部に漸次搬入された複数枚の前記シートからなるシート束の下端を当接させて前記トレイ部に前記シート束を整列させる突当部と、該突当部に設けられ、前記シート束の下部を厚み方向に弾発付勢させる押圧部と、前記トレイ部の下方に設けられ、前記突当部で整列された前記シート束の下部にシート綴じ用の処理を実行させる綴じ処理部と、を備えたことを特徴とする。
請求項２にかかるシート後処理装置は、請求項１において、前記綴じ処理部を前記シートの幅方向に移動させる移動部を備えると共に、前記突当部が、前記綴じ処理部と係合して前記シートの幅方向に移動可能に構成されていることを特徴とする。
【０００５】
請求項３にかかるシート後処理装置は、請求項１または２において、前記突当部は、前記シート束の下端が当接される底壁と縦壁とで側面視略Ｕ字状に形成されると共に、一方の縦壁が前記トレイ部の面と略連続するように配設されたシート保持部を備え、前記押圧部は、前記一方の縦壁に向かって押圧可能に、且つ、前記シートの出し入れにより従動回転可能に設けられたコロを備えたことを特徴とする。
請求項４にかかるシート後処理装置は、請求項３において、前記コロは、前記突当部に前記シートが所定の枚数以上に収納された場合に前記シートに当接されるように、前記一方の縦壁から離間して設けられていることを特徴とする。
請求項５にかかるシート後処理装置は、請求項３または４において、前記押圧部は、前記コロを常に一定の押圧力となるように構成されていることを特徴とする。
請求項６にかかるシート後処理装置は、請求項５において、前記押圧部は、定荷重バネを用いていることを特徴とする。
請求項７にかかるシート後処理装置は、請求項３乃至６の何れか１項において、前記コロは、低摩擦素材で構成されていることを特徴とする。
請求項８にかかる画像形成装置は、請求項１乃至７の何れか１項に記載のシート後処理装置と、前記シートに所望の画像を形成させる作像部とを備えたことを特徴とする。
【発明の効果】
【０００６】
本発明によれば、シート束の下端を突き当てさせて、そのシート束をトレイ部に整列させる突当部に押圧部を設け、その押圧部がシート束の下部を厚み方向に弾発付勢してシート押えをするから、シートのカールや撓み等がいかなる場合であってもシート１枚ごとに整然と整列可能となる上に、圧縮部材やフィンガ等の押え部材をシート１枚ごとに動作する必要がなくなり、押え部材の制御部や駆動源等が不要になったことから、組立性や生産性を向上することできる。
【発明を実施するための最良の形態】
【０００７】
次に、本発明にかかるシート後処理装置の実施の形態を説明する。
本実施の形態にかかるシート後処理装置は、図１に示すように、画像形成装置から排出されてきた画像形成済みのシートＰを受け入れる導入経路１と、導入経路１から分岐する３つの経路、即ち排紙トレイ６へ向かう下搬送経路２と、プルーフトレイ７へ向かう上搬送経路３と、ステープル処理（針止め処理）を行う搬送経路４とを有する。
画像形成動作の開始時に、搬送されるシートＰのサイズや搬送方向により、排紙トレイ６の満杯時の高さを識別し排紙トレイ６が規定の高さまで達した場合には、図示しない制御部によりシステムの画像形成動作を停止するようになっている。
導入経路１には、導入ローラ１０、入口センサ１１が配置され、導入経路１の終端部の分岐部に位置する分岐爪２０は回動することにより、上搬送経路３と、下搬送経路２と、搬送経路４へシートＰの搬送方向を仕分けるようになっている。
【０００８】
下搬送経路２には、搬送ローラ２１、２２、排紙ローラ２３、寄せローラ２４、排紙センサ２５、２６が配置され、上搬送経路３、搬送経路４に搬送されなかったシートＰを、下搬送経路２を経て排紙トレイ６に排出し、排紙されたシートＰは、順次排紙トレイ６にスタックされていく。
排紙トレイ６にスタックされた時のシートＰの中央付近で、且つ、排紙口上方には、フィラー２７が回動可能に設けられている。このフィラー２７は、その先端がシートＰの上面に接するようになっている。
このフィラー２７の根元付近には、フィラー２７の先端の高さ位置を検知する上面検知センサ２８、２９が設けられており、これらのセンサにより、スタックシートＰの紙面高さを検知している。
この２つの上面検知センサ２８、２９は、フィラー２７の根元付近部を上下にはさむ状態で配置され、フィラー２７の根元付近部が２つの上面検知センサ２８、２９の真中になる状態（２つの上面検知センサ２８、２９がともにＯＦＦ）で、下側の上面検知センサ２９に近い位置、即ち、下側の上面検知センサ２９がＯＮからＯＦＦになった位置をホーム位置としている。
【０００９】
排紙トレイ６上の堆積枚数の増大に伴ってシートＰの高さが上昇するに従って、上面検知センサ２８がオンすると、図示しない制御部は、排紙トレイ６を上下動させる駆動手段（図示しない）を制御して排紙トレイ６を下降させるようになっている。
排紙トレイ６が下降し、上面検知センサ２９がオフすると、排紙トレイ６の下降を停止する。この動作を繰り返し、排紙トレイ６が規定のトレイ満杯高さまで達すると、シート後処理装置から画像形成装置に停止信号を出し、システムの画像形成動作を停止させるようになっている。
搬送経路４には、下搬送ローラ３０、排紙センサ３１、排出ローラ３２が配置され、搬送経路４の終端位置には、図１に示したように、ステープルユニット４０が斜設されている。
このステープルユニット４０は、ステープルトレイ（トレイ部）４１と、ジョガーフェンス４２と、ガイドロッド部と、基準フェンス（突当部）６１と、引っ張りバネ５１と、スタッド６２と、ステープラ駆動部（移動部）４５と、ステープラ（綴じ処理部）３５と、戻しローラ４３と、放出ベルト部と、押圧部７０とを備えて構成されている。
【００１０】
ステープルトレイ４１は、後述する放出ベルト４４を挿通させる凹部４１ａが表面側中央の上下方向に亘って形成された平板状に形成されると共に、裏面側下部の中央に一対の第一掛止凸部４１ｂが設けられている。このように形成されたステープルトレイ４１は、その上部が後述する排紙トレイ６の方向へ向くように、機枠（図示せず）に斜設されている。
ジョガーフェンス４２は、平面視コ字状の長尺状部材であり、ステープルトレイ４１の幅方向両側に移動可能に設けられている。そして、ブラシローラ３３の回動等によりステープルトレイ４１上に排出されたシートＰに対し、このジョガーフェンス４２を前進動することで、シートＰの幅方向の位置揃えするようになっている。
ガイドロッド部は、ステープルトレイの下方且つ近傍に、ステープルトレイの幅方向に向かって機枠に架設された第１ガイドロッド５０と、その第１ガイドロッド５０の下方且つ近傍に、第１ガイドロッド５０と平行となるように機枠に架設された第２ガイドロッド６０とで構成される。なお、これら第１ガイドロッド５０と第２ガイドロッド６０は、スプライン軸となっている。
【００１１】
基準フェンス６１は、図３〜図５に示すように、直方体状の軸受け部６１ａと、その軸受け部６１ａの前面（トレイ面側）から垂設され、ステープルトレイ４１に搬入されたシートＰの縦揃え位置の基準となる底壁６１ｋと後壁６１ｍ及び頂部が傾斜した前壁６１ｎとで側面視略Ｕ字状に形成されたシート保持部６１ｂと、軸受け部６１ａの上面一端側に第一掛止凸部４１ｂと対峙可能に上方に向かって突設された第二掛止凸部６１ｃとを備えて構成されている。
またシート保持部６１ｂは、底部から前壁６１ｎ中途部まで切欠させて後述するステープラ３５によるステープル処理可能な開口部６１ｄが設けられていると共に、その外面側に、後述する押圧部７０を内装させる収納部６１ｅが形成されている。
このように形成された基準フェンス６１は、左右一対からなっており、第二掛止凸部６１ｃ同士が内方に向くように上述した第１ガイドロッド５０に軸受け部６１ａがスライド可能に挿通されている。なお、この基準フェンス６１のシート保持部６１ｂに形成した収納部６１ｅと、その収納部６１ｅに設けた押圧部７０の詳細は、後述する。
【００１２】
引っ張りバネ５１は、一端を第一掛止凸部４１ｂに掛止させ他端を第二掛止凸部６１ｃに掛止させて、左右夫々の基準フェンス６１を内方に引き寄せるように、第一掛止凸部４１ｂと第二掛止凸部６１ｃとの間に張架されている。
スタッド６２は、棒状に形成され、基準フェンス６１の後壁６１ｍの裏面で、第二掛止凸部６１ｃと反対側となる所要位置に、後方に向かって水平に突設されている。
ステープラ駆動部は、スタッド６２より下方で基準フェンス６１の後壁６１ｍの後方となる所要位置に、トレイ４１の幅方向に向かって回動可能に設けられた無端状ベルト４６と、その無端状ベルト４６を駆動させる駆動モータ４５とを備えてなる。
ステープラ（綴じ処理部）３５は、シート保持部６１ｂと干渉しないように所要の幅の凹部が形成されると共に、その凹部に向かい入れたシートＰ束をステープル処理可能に構成されている。このステープラ３５は、第２ガイドロッド６０にスライド可能に挿通されていると共に、ステープラ駆動部の無端状ベルト４６に係止されており、駆動モータ４５で無端状ベルト４６を回動させることで、第２ガイドロッド６０に沿ってステープルトレイ４１の幅方向に移動するようになっている（図２〜図５参照）。
【００１３】
また、図６に示すように、このステープラ３５の側面と、基準フェンス６１に突設されたスタッド６２とが当接するようになっており、例えば、ステープラ３５が左方に移動することで、ステープラ３５の左側面が左側の基準フェンス６１のスタッド６２に当接し、左側の基準フェンス６１を左方に押動する。その際、右側の基準フェンス６１は右側の引っ張りバネ５１により中央に引き戻っている。
逆に、ステープラ３５が右方に移動することで、左側の基準フェンス６１は左側の引っ張りバネ５１により中央に引き戻り、ステープラ３５の右側面が右側の基準フェンス６１のスタッド６２に当接し、右側の基準フェンス６１を右方に押動する。このようにして、様々な幅のシートＰに対しても基準フェンス６１によるシート保持を可能にすると同時に、シートＰの端部に対しても、基準フェンス６１の開口部６１ｄを介してのステープル処理が可能になっている。
戻しローラ４３は、ステープルトレイ４１面の下部上方に振り子運動可能に設けられており、その振り子運動で搬送されたシートＰ上面を叩くことにより、基準フェンス６１の底壁６１ｋにシートＰの下端を当接させて縦方向の位置揃えをするようになっている。
【００１４】
放出ベルト部は、ステープルトレイ４１の表面中央に設けた凹部とステープルトレイ４１の後方を回動移動するように掛架された放出ベルト４４と、その放出ベルト４４に固着されシートＰ束を持ち上げる爪４４ａとを備えて構成される。このように構成された放出ベルト部は、放出ベルト４４を半時計廻り方向へ回転することにより、基準フェンス６１とステープルトレイ４１とで斜めに保持されていたステープル処理済みのシートＰ束を、爪４４ａで持ち上げて排紙トレイ６上に排紙するようになっている。
この排紙トレイ６への排出口部は、排紙ローラ２３と従動ローラ１５とでシートＰ又はシートＰ束を挟持して排出する対構造となっている。これは、排紙ローラ２３に対する従動ローラ１５を備えた排出ガイド１６の接離動作で、シートＰ又はシートＰ束を挟持して排出可能な閉状態と挟持しない開状態とを選択的に取り得るようになっている。
【００１５】
次に、図８〜図１０を参照しながら、押圧部７０廻りを説明する。
押圧部７０は、コロケース７１と、コロ７２と、押動杆７３と、渦巻きバネ７４とを備えて構成され、上述したようにシート保持部６１ｂの外面側に形成された収納部６１ｅに設けられている。
この収納部６１ｅは、図７〜図９に示すように、開口部６１ｄを避けて、前壁６１ｎと底壁６１ｋの後壁６１ｍの一方側に内部空間が形成されるように突設されている。内部空間は、前壁６１ｎの中央部分に略矩形状に画設されると共に平面視両側壁にスライド溝６１ｆが前後方向に延設され、後述するコロケース７１を収納させる第一空間部６１ｇと、その第一空間部６１ｇと連通するように、且つ、前壁６１ｎから底壁６１ｋ、後壁６１ｍの下部へと続くように画設され後述する渦巻きバネ７４を収納させる第二空間部６１ｈとを備えて構成される。
コロケース７１は、スライド溝６１ｆと係合可能な凸部７１ａが突設されると共に、側面視、前壁６１ｎの頂部の傾斜と略同じ傾斜の斜面部が形成され、第一空間部６１ｇに遊挿可能な箱状に形成されている。このように形成されたコロケース７１は、前壁６１ｎの頂部の傾斜側に斜面部が位置するように、凸部７１ａがスライド溝６１ｆに係合して、前後方向移動可能に第一空間部６１ｇに取り付けられている。
【００１６】
コロ７２は、低摩擦素材で形成された円柱状部材であり、斜面部側の側面から外周面が一部突出するようにコロケース７１内に軸支されて、シートＰの出し入れにより従動回転可能になっている。
押動杆７３は、コロケース７１の背面に先部が固着され第二空間部６１ｈの底壁６１ｋ側まで延出するようにクランク状に形成されている。この押動杆７３の基部が、第二空間部６１ｈの前壁６１ｎ部分の内壁に当接することで、後壁６１ｍからコロ７２が所定の距離だけ離間した位置を初期位置として維持するようになっていると共に、コロケース７１が第一空間部６１ｇから抜脱されないようになっている。
渦巻きバネ７４は、定荷重渦巻きバネであり、後壁６１ｍ下部部分と底壁６１ｋ部分の第二空間部６１ｈに一端を挿嵌させて係止させると共に、巻回部分を自由端として押動杆７３の基部に圧接させている。この渦巻きバネ７４の巻く方向への力、すなわち復元力で、押動杆７３とコロケース７１とを介して、コロ７２を後壁６１ｍ方向へ一定の押圧力で弾発付勢している。この渦巻きバネ７４は、シート保持部６１ｂにシートＰが所定枚数に達してコロ７２が後退（前壁６１ｎ側へ移動）しても、シート保持部６１ｂにシートＰ受け入れ可能で、且つ、カールしているシートＰを押えて修正可能な程度のものになっている。
【００１７】
次に、以上のように構成された本実施の形態にかかるシート後処理装置の動作（ステープルユニット４０廻りの動作）を説明する。
まず、シート保持部６１ｂの、後壁６１ｍとコロ７２の初期位置との間に、搬送してきたシートＰが入り込み、所定枚数に達することで、コロ７２にシートＰが接触する。さらにシートＰが搬送してくると、そのシートＰは、前壁６１ｎ側となる最前列のシートＰとコロ７２との間に入り込んでいく。このときコロ７２はシートＰを押圧しながら後退すると共に、シートＰの入り込みに伴って従動回転する。
渦巻きバネ７４の復元力を利用してコロ７２が、シートＰ束の下部を厚み方向へ押圧（弾発付勢）して、カールしているシートＰが混じっても、シートＰ束の下部の浮き上がりを防止する（図１０参照）。
このようにして所定枚数のシートＰがステープルトレイ及び基準フェンス６１に搬入されたら、ジョガーフェンス４２でシートＰの幅方向の位置揃えをし、戻しローラ４３でシートＰの縦方向の位置揃えをする。この縦と横の位置揃えが終了したら、ステープラ３５を所望する位置へ移動してステープル処理を実行する。
ステープル処理が終了したら、放出ベルト４４が回転し、そのステープル処理済みのシートＰ束を爪４４ａが持ち上げ、これと同時にコロ７２が従動回転し、排紙トレイ６上に排紙して、一連の動作が終了する。
【００１８】
このように本実施の形態にかかるシート後処理装置は、シートＰ束の下端を突き当てさせて、そのシートＰ束をステープルトレイに整列させる基準フェンス６１に押圧部７０を設け、その押圧部７０がシートＰ束の下部を厚み方向に弾発付勢してシート押えをするから、シートのカールや撓み等がいかなる場合であってもシート１枚ごとに整然と整列可能となる上に、圧縮部材やフィンガ等の押え部材をシート１枚ごとに動作する必要がなくなり、押え部材の制御部や駆動源等が不要になったことから、組立性や生産性を向上することできる。
また、押圧部を設けた基準フェンス６１の幅方向の移動を、ステープラ３５の移動に連動するように構成したから、基準フェンス６１の幅方向移動用の制御部や駆動源等が不要になったことから、組立性や生産性を向上することできる。
以上、本実施の形態にかかるシート後処理装置を説明したが、上述した実施の形態は、本発明の好適な実施の形態の一例を示すものであり、本発明はそれに限定されるものではなく、その要旨を逸脱しない範囲内において、種々変形実施が可能である。例えば、シート後処理装置と、シートに所望の画像を形成させる作像部とを備えた画像形成装置でも良い。
【図面の簡単な説明】
【００１９】
【図１】本実施の形態にかかるシート後処理装置の概略を示した模式図である。
【図２】ステープルユニットの斜視図である。
【図３】ステープルユニットの横断平面図である。
【図４】ステープルユニットの部分正面図である。
【図５】ステープルユニットの左側面図である。
【図６】ステープラを動作させた状態のステープルユニットの横断平面図である。
【図７】基準フェンスのシート保持部廻りの斜視図である。
【図８】基準フェンスのシート保持部廻りの縦断面図である。
【図９】図８のＸ−Ｘ線に沿える横断平面図である。
【図１０】基準フェンスのシート保持部廻りの縦断面図である。
【符号の説明】
【００２０】
Ｐ‥シート  １‥導入経路  ２‥下搬送経路  ３‥上搬送経路  ４‥搬送経路  ６‥排紙トレイ  ７‥プルーフトレイ  １０‥導入ローラ  １１‥入口センサ  １５‥従動ローラ  １６‥排出ガイド  ２０‥分岐爪  ２１、２２‥搬送ローラ  ２３‥排紙ローラ  ２４‥寄せローラ  ２５、２６‥排紙センサ  ２７‥フィラー  ２８、２９‥上面検知センサ  ３０‥下搬送ローラ  ３１‥排紙センサ  ３２‥排出ローラ  ３３‥ブラシローラ  ３５‥ステープラ  ４０‥ステープルユニット  ４１‥ステープルトレイ（トレイ部）  ４１ａ‥凹部  ４１ｂ‥第一掛止凸部  ４２‥ジョガーフェンス  ４３‥戻しローラ  ４４‥放出ベルト  ４４ａ‥爪  ４５‥駆動モータ  ４６‥無端状ベルト  ５０‥第１ガイドロッド  ５１‥引っ張りバネ  ６０‥第２ガイドロッド  ６１‥基準フェンス（突当部）  ６１ａ‥軸受け部  ６１ｂ‥シート保持部  ６１ｃ‥第二掛止凸部  ６１ｄ‥開口部  ６１ｅ‥収納部  ６１ｆ‥スライド溝  ６１ｇ‥第一空間部  ６１ｈ‥第二空間部  ６１ｋ‥底壁  ６１ｍ‥後壁  ６１ｎ‥前壁  ７０‥押圧部  ７１‥コロケース  ７１ａ‥凸部  ７２‥コロ  ７３‥押動杆  ７４‥渦巻きバネ  ６２‥スタッド
【図１】
2010100428.tif 000003
【図２】
2010100428.tif 000004
【図３】
2010100428.tif 000005
【図４】
2010100428.tif 000006
【図５】
2010100428.tif 000007
【図６】
2010100428.tif 000008
【図７】
2010100428.tif 000009
【図８】
2010100428.tif 000010
【図９】
2010100428.tif 000011
【図１０】
2010100428.tif 000012